(57)【要約】【課題】 単列の円すいころ軸受に比べて低トルク化が可能であり、しかも、油浴状態で使用される場合の摩耗粉等の異物侵入による損傷を防止することができる玉軸受装置を提供する。【解決手段】  玉軸受装置は、反油浴側のシール部材10と油浴側の異物吸着部材20とを有している。異物吸着部材20は、固定輪2の左端部に嵌め合わせられた円筒部20aおよび円筒部20aの左端に設けられかつ回転輪2の左端部に所定間隙をおいて対向するフランジ部20bからなる。異物吸着部材20のフランジ部20bには、潤滑油中に含まれる磁性体製異物を吸着するように、磁力が付与されている。【選択図】    図１
2007192301.tif 000002
【特許請求の範囲】
【請求項１】
固定輪、回転輪、および両輪間に配置された玉を有し、一端が油浴側に位置するように使用される転がり軸受において、固定輪の油浴側端部に、潤滑油中に含まれる磁性体製異物を吸着する異物吸着部材が設けられていることを特徴とする玉軸受装置。
【請求項２】
異物吸着部材は、固定輪の端部に嵌め合わせられる円筒部および回転輪に所定間隙をおいて対向するフランジ部からなる磁性体製スリンガのフランジ部に磁力を付与したものである請求項１の玉軸受装置。
【発明の詳細な説明】
【技術分野】
【０００１】
この発明は、玉軸受装置に関し、さらに詳しくは、自動車のディファレンシャル、トランスファー、トランスミッションなどにおいて油浴状態でピニオン軸やギア軸を支持するのに好適な玉軸受装置に関する。
【背景技術】
【０００２】
自動車のディファレンシャル部分に配されてピニオン軸を回転自在に支持する軸受装置として、円すいころ軸受を使用したものが知られている（特許文献１）。
【特許文献１】特開平８−２１０４７１号公報
【発明の開示】
【発明が解決しようとする課題】
【０００３】
ディファレンシャルで使用されている転がり軸受は、高い剛性を得るために従来は円すいころ軸受とされていたが、燃費向上の観点から軸受の低トルク化が課題となっており、円すいころ軸受より回転トルクが小さい玉軸受を使用することが望まれている。
【０００４】
玉軸受を使用するに際しては、円すいころ軸受に比べて摩耗粉、切り粉などによる損傷が起きやすいことから、低トルクを維持したまま、潤滑油に混ざった異物が軸受内に侵入することを防止することが課題となる。
【０００５】
この発明の目的は、単列の円すいころ軸受に比べて低トルク化が可能であり、しかも、油浴状態で使用される場合の摩耗粉等の異物侵入による損傷を防止することができる玉軸受装置を提供することにある。
【課題を解決するための手段】
【０００６】
この発明による玉軸受装置は、固定輪、回転輪、および両輪間に配置された玉を有し、一端が油浴側に位置するように使用される転がり軸受において、固定輪の油浴側端部に、潤滑油中に含まれる磁性体製異物を吸着する異物吸着部材が設けられていることを特徴とするものである。
【０００７】
この玉軸受装置は、例えば、その固定輪が軸方向に二列の軌道面を有する１つの外輪部材からなり、その回転輪が一列の軌道面を有する第１および第２の内輪部材からなるものとされる。
【０００８】
軸受の潤滑は、軸受外部の潤滑油を軸受内部に循環させることで行われる。
【０００９】
異物吸着部材は、例えば、固定輪の端部に嵌め合わせられる円筒部および回転輪に所定間隙（潤滑油通過間隙）をおいて対向するフランジ部からなる磁性体製スリンガのフランジ部に磁力を付与することにより得ることができる。スリンガに磁力を付与するには、磁石を磁性体製スリンガのフランジ部に貼り付けてもよく、着磁装置を使用して磁性体製スリンガ自体に着磁するようにしてもよい。
【発明の効果】
【００１０】
この発明の玉軸受装置によると、単列の円すいころ軸受に比べて低トルク化が可能であり、しかも、固定輪の油浴側端部に、潤滑油中に含まれる磁性体製異物を吸着する異物吸着部材が設けられているので、鉄などの磁性体製異物はこの異物吸着部材に捕捉され、油浴状態で使用される場合の摩耗粉等の異物侵入による損傷を防止することができる。
【発明を実施するための最良の形態】
【００１１】
この発明の実施の形態を、以下図面を参照して説明する。
【００１２】
図１は、この発明の玉軸受装置の１実施形態を示している。以下の説明において、左右とは、図の左右をいうものとする。
【００１３】
この玉軸受装置は、複列外向きアンギュラ玉軸受装置であって、自動車のディファレンシャル・ケース（ケーシング）(1)に取り付けられる外輪（固定輪）(2)と、左端部にピニオンギア(3a)を有するピニオン軸（回転軸）(3)に取り付けられる左右１対の内輪（回転輪）(4)(5)と、外輪(2)の左半部と左の内輪(4)との間に配置された左列の複数の玉(6)と、外輪(2)の右半部と右の内輪(5)との間に配置された右列の複数の玉(7)と、左列の玉(6)を保持する左側の保持器(8)と、右列の玉(7)を保持する右側の保持器(9)と、外輪(2)の右端部と右の内輪(5)の右端部間に設けられた反油浴側シール部材(10)と、外輪(2)の左端部と左の内輪(4)の左端部間に設けられた異物吸着部材(20)とを備えている。
【００１４】
ディファレンシャル・ケース(1)には、ピニオン軸(3)を潤滑するための潤滑油が循環させられており、軸受は、この潤滑油が軸受内に導入されることで潤滑されている。
【００１５】
外輪(2)は、２列の軌道溝を有しており、その右端部外径に設けられたフランジ部がボルト(11)によってディファレンシャル・ケース(1)に固定されている。外輪(2)の左右両端部には、カウンタボア(2a)(2b)が形成されている。外輪(2)の右端部には、オイル循環促進用の貫通孔(12)が左上がりの傾斜状に設けられており、この貫通孔(12)とケース(1)左面にある間隙とを連通するようにケース内オイル通路(13)が形成されている。また、外輪(2)の中央部には、軸受外部から内部にオイルを導入するための中央貫通孔(14)が設けられている。これにより、オイルは、中央貫通孔(14)から軸受内部に流入し、左右に分かれて、左端側の開口と右のオイル循環促進用貫通孔(12)から外部に排出される循環を行う。オイル循環促進用貫通孔(12)およびケース内オイル通路(13)は、外輪(2)とケース(1)との間に配されたＯリング(15)によってその外部への漏れが防止されている。
【００１６】
左右の内輪(4)(5)は、それぞれ１列の軌道溝を有する単列用内輪であって、そのカウンタボア(4a)(5a)同士を突き合わすように配置されている。
【００１７】
各保持器(8)は、保持器本体(8a)(9a)およびポケット(8b)(9b)を有している。
【００１８】
反油浴側シール部材(10)は、ケース(1)外部からの異物の侵入を防止するためのもので、短円筒部およびこれの左端にある内向きフランジ部からなる環状芯金(11)と、芯金(11)の短円筒部外周面および内向きフランジ部左側面に接着されかつ内輪(5)の肩部に接触するシールリップ部を有するゴムなどの弾性体(12)と、シールリップ部を径方向内向きに付勢して内輪(5)の肩部に押圧するばね(13)とを有しているオイルシールとされ、芯金(11)の短円筒部が弾性体(12)を介して外輪(2)のカウンタボア(2b)に圧入されて固定されている。
【００１９】
異物吸着部材(20)は、潤滑油を通過させかつ潤滑油中に含まれる磁性体製異物を吸着するもので、固定輪である外輪(2)の左端部に嵌め合わせられた円筒部(20a)および円筒部(20a)の左端に設けられかつ回転輪である左の内輪(2)の左端部に潤滑油通過間隙となる所定間隙をおいて対向するフランジ部(20b)からなり、そのフランジ部(20b)に磁力が付与されている。
【００２０】
異物吸着部材(20)は、鋼板（磁性体製）であり、フランジ部(20b)への磁力の付与は、着磁装置を使用してフランジ部(20b)を着磁することにより行われている。異物吸着部材(20)は、締まりばめにより、外輪(2)に固定されている。
【００２１】
この玉軸受装置によると、潤滑油は、異物吸着部材(20)のフランジ部(20b)と内輪(2)との間隙を通過可能であり、潤滑油中に含まれる鉄粉などの磁性体製異物は、フランジ部(20b)に近づいたときに異物吸着部材(20)によって捕捉される。したがって、軸受内に摩耗粉や切り粉などの異物が侵入することが防止され、損傷が起こりにくいものとなっている。
【００２２】
なお、フランジ部(20b)への磁力の付与は、フランジ部(20b)に環状の磁石を貼り付けることによって行うことも可能であり、この場合には、異物吸着部材(20)は、鋼板（磁性体製）としなくてもよい。
【００２３】
また、上記玉軸受装置では、ピニオン軸(3)を潤滑するための潤滑油が潤滑剤として使用されているが、軸受内にグリースを封入したグリース潤滑タイプの玉軸受装置をピニオン軸支持装置用に使用する場合にも、この玉軸受装置を適用することで、軸受内に摩耗粉や切り粉などの異物が侵入することを防止することができる。この場合には、内輪(2)にシールド板を設け、このシールド板と異物吸着部材(20)とによって軸受内への潤滑油および異物の侵入を防止することがより好ましい。
【図面の簡単な説明】
【００２４】
【図１】図１は、この発明による玉軸受装置の１実施形態を示す縦断面図である。
【符号の説明】
【００２５】
(2)         外輪（固定輪）
(3)         ピニオン軸（回転軸）
(4)(5)      内輪（回転輪）
(6)(7)      玉
(20)        異物吸着部材
【図１】
2007192301.tif 000003